(57)【要約】  本技術は、ダイバーシティにおける性能を向上させることができるようにする受信装置、受信方法、並びにプログラムに関する。供給されるブランチを復調し、シンボルを生成する複数の復調部と、複数の復調部で復調されたシンボルを合成し、合成シンボルを生成する合成部と、合成シンボルの誤り訂正を行う誤り訂正部と、合成部から誤り訂正部への合成シンボルの伝送レートが、一定の範囲内になるように制御するスムージング部とを備える。スムージング部は、合成部からの合成シンボルを保持するバッファ部と、合成部から合成シンボルが入力される時刻を推定する入力時刻推定部と、誤り訂正部にバッファ部に保持されている合成シンボルを出力する時刻を生成する出力時刻生成部とを備える。本技術は、ダイバーシティ方式でテレビジョン放送などを受信する携帯端末装置に適用できる。
2015060145.tif 000002
【特許請求の範囲】
【請求項１】
供給されるブランチを復調し、シンボルを生成する複数の復調部と、
前記複数の復調部で復調された前記シンボルを合成し、合成シンボルを生成する合成部と、
前記合成シンボルの誤り訂正を行う誤り訂正部と、
前記合成部から前記誤り訂正部への前記合成シンボルの伝送レートが、一定の範囲内になるように制御するスムージング部と
を備える受信装置。
【請求項２】
前記スムージング部は、
前記合成部からの合成シンボルを保持するバッファ部と、
前記合成部から前記合成シンボルが入力される時刻を推定する入力時刻推定部と、
前記誤り訂正部に前記バッファ部に保持されている前記合成シンボルを出力する時刻を生成する出力時刻生成部と
を備える請求項１に記載の受信装置。
【請求項３】
前記入力時刻推定部は、前記合成部から前記合成シンボルが入力される間隔を、所定の係数を用いてフィルタリングすることで、前記合成シンボルが入力される間隔を算出し、前記合成シンボルが入力される時刻を推定する
請求項２に記載の受信装置。
【請求項４】
前記入力時刻推定部は、前記復調部から供給されるパラメータにより、前記誤り訂正部への前記合成シンボルの出力開始時の伝送レートを設定する
請求項２に記載の受信装置。
【請求項５】
前記出力時刻生成部は、前記入力時刻推定部で推定された推定入力間隔、前記合成シンボルが入力された入力時刻、および設定されている所定の時間を用いて、前記合成シンボルを出力する時刻を生成する
請求項２に記載の受信装置。
【請求項６】
前記設定されている所定の時間は、前記ブランチの受信シンボルの探索範囲として設定されている制限時間である
請求項５に記載の受信装置。
【請求項７】
前記出力時刻生成部は、前記合成部から前記合成シンボルが入力された時点から、前記制限時間分だけ遅延した時刻に、前記合成シンボルを出力する
請求項６に記載の受信装置。
【請求項８】
前記復調部と前記誤り訂正部は、第２世代欧州地上波デジタル放送規格（DVB-T2）の信号を復調および誤り訂正する
請求項１に記載の受信装置。
【請求項９】
前記復調部と前記誤り訂正部は、第２世代欧州ケーブルデジタル放送規格（DVB-C2）の信号を復調および誤り訂正する
請求項１に記載の受信装置。
【請求項１０】
供給されるブランチを復調し、シンボルを生成する複数の復調部と、
前記複数の復調部で復調された前記シンボルを合成し、合成シンボルを生成する合成部と、
前記合成シンボルの誤り訂正を行う誤り訂正部と
を備える受信装置の受信方法において、
前記合成部から前記誤り訂正部への前記合成シンボルの伝送レートが、一定の範囲内になるように制御する
ステップを含む受信方法。
【請求項１１】
供給されるブランチを復調し、シンボルを生成する複数の復調部と、
前記複数の復調部で復調された前記シンボルを合成し、合成シンボルを生成する合成部と、
前記合成シンボルの誤り訂正を行う誤り訂正部と
を備える受信装置を制御するコンピュータに、
前記合成部から前記誤り訂正部への前記合成シンボルの伝送レートが、一定の範囲内になるように制御する
ステップを含む処理を実行させるコンピュータが読み取り可能なプログラム。
【発明の詳細な説明】
【技術分野】
【０００１】
本技術は、受信装置、受信方法、並びにプログラムに関する。詳しくは、ダイバーシティを用いた受信における性能を向上させるのに適した受信装置、受信方法、並びにプログラムに関する。
【背景技術】
【０００２】
テレビジョンや携帯端末装置等のディスプレイを有する画像表示機器には、複数のアンテナを有する受信装置を備えたものがある（例えば、特許文献１参照）。【０００３】
複数のアンテナで受信した同一の信号について、電波状況の優れたアンテナの信号を優先的に用いたり、受信した信号を合成してノイズを除去したりすることによって、通信の質や信頼性の向上を図る技術がある。このような技術は、ダイバーシティと称される。
【先行技術文献】
【特許文献】
【０００４】
【特許文献１】特開２０１３−１３５２７０号公報
【発明の概要】
【発明が解決しようとする課題】
【０００５】
ダイバーシティは、主に移動体で信号を受信する際に用いられる。例えば、携帯端末装置が携帯され、移動しているような状況の場合、信号の受信位置が刻々と変化するため、受信感度も変化しやすい。【０００６】
例えば、２本のアンテナで信号を受信し、処理する場合、所定の時間内に両方のアンテナから信号が得られれば、合成し、出力される。しかしながら、一方のアンテナからの信号が遅延した場合、その遅延に合わせて、信号の合成も遅延することになる。このような遅延が起こると、合成された信号の出力のタイミングが急峻に変化してしまう可能性がある。【０００７】
合成された信号を処理する部分においては、合成された信号が一定の間隔で供給されるのが好ましい。例えば、急に間隔が狭まると処理が追いつかなくなる可能性があり、間隔が広くなると、ユーザに供給すべき映像などが途切れてしまったりする可能性がある。そこで、合成された信号が一定の間隔で供給されるようにし、供給間隔の急峻な変化が起きないようにすることが望まれている。【０００８】
本技術は、このような状況に鑑みてなされたものであり、複数のアンテナで信号を受信し、処理する際の性能を向上させることができるようにするものである。
【課題を解決するための手段】
【０００９】
本技術の一側面の受信装置は、供給されるブランチを復調し、シンボルを生成する複数の復調部と、前記複数の復調部で復調された前記シンボルを合成し、合成シンボルを生成する合成部と、前記合成シンボルの誤り訂正を行う誤り訂正部と、前記合成部から前記誤り訂正部への前記合成シンボルの伝送レートが、一定の範囲内になるように制御するスムージング部とを備える。【００１０】
前記スムージング部は、前記合成部からの合成シンボルを保持するバッファ部と、前記合成部から前記合成シンボルが入力される時刻を推定する入力時刻推定部と、前記誤り訂正部に前記バッファ部に保持されている前記合成シンボルを出力する時刻を生成する出力時刻生成部とを備えるようにすることができる。【００１１】
前記入力時刻推定部は、前記合成部から前記合成シンボルが入力される間隔を、所定の係数を用いてフィルタリングすることで、前記合成シンボルが入力される間隔を算出し、前記合成シンボルが入力される時刻を推定するようにすることができる。【００１２】
前記入力時刻推定部は、前記復調部から供給されるパラメータにより、前記誤り訂正部への前記合成シンボルの出力開始時の伝送レートを設定するようにすることができる。【００１３】
前記出力時刻生成部は、前記入力時刻推定部で推定された推定入力間隔、前記合成シンボルが入力された入力時刻、および設定されている所定の時間を用いて、前記合成シンボルを出力する時刻を生成するようにすることができる。【００１４】
前記設定されている所定の時間は、前記ブランチの受信シンボルの探索範囲として設定されている制限時間であるようにすることができる。【００１５】
前記出力時刻生成部は、前記合成部から前記合成シンボルが入力された時点から、前記制限時間分だけ遅延した時刻に、前記合成シンボルを出力するようにすることができる。【００１６】
前記復調部と前記誤り訂正部は、第２世代欧州地上波デジタル放送規格（DVB-T2）の信号を復調および誤り訂正するようにすることができる。【００１７】
前記復調部と前記誤り訂正部は、第２世代欧州ケーブルデジタル放送規格（DVB-C2）の信号を復調および誤り訂正するようにすることができる。【００１８】
本技術の一側面の受信方法は、供給されるブランチを復調し、シンボルを生成する複数の復調部と、前記複数の復調部で復調された前記シンボルを合成し、合成シンボルを生成する合成部と、前記合成シンボルの誤り訂正を行う誤り訂正部とを備える受信装置の受信方法において、前記合成部から前記誤り訂正部への前記合成シンボルの伝送レートが、一定の範囲内になるように制御するステップを含む。【００１９】
本技術の一側面のプログラムは、供給されるブランチを復調し、シンボルを生成する複数の復調部と、前記複数の復調部で復調された前記シンボルを合成し、合成シンボルを生成する合成部と、前記合成シンボルの誤り訂正を行う誤り訂正部とを備える受信装置を制御するコンピュータに、前記合成部から前記誤り訂正部への前記合成シンボルの伝送レートが、一定の範囲内になるように制御するステップを含む処理を実行させるコンピュータが読み取り可能なプログラムである。【００２０】
本技術の一側面の受信装置、受信方法、並びにプログラムにおいては、供給されるブランチが復調され、シンボルが生成され、複数の復調されたシンボルが合成され、合成シンボルが生成され、生成された合成シンボルの誤り訂正が行われる。また複数のシンボルを合成する合成部から、誤り訂正を行う誤り訂正部への合成シンボルの伝送レートが、一定の範囲内になるように制御される。
【発明の効果】
【００２１】
本技術の一側面によれば、複数のアンテナで信号を受信し、処理する際の性能を向上させることができる。【００２２】
なお、ここに記載された効果は必ずしも限定されるものではなく、本開示中に記載されたいずれかの効果であってもよい。
【図面の簡単な説明】
【００２３】
【図１】受信装置の一例の構成を示す図である。
【図２】合成シンボルの出力のタイミングについて説明するための図である。
【図３】合成シンボルの出力のタイミングについて説明するための図である。
【図４】合成シンボルの出力のタイミングについて説明するための図である。
【図５】本技術を適用した受信装置の一実施の形態の構成を示す図である。
【図６】スムージング部の構成を示す図である。
【図７】合成シンボルの出力のタイミングについて説明するための図である。
【図８】合成シンボルの出力のタイミングの制御について説明するためのフローチャートである。
【図９】合成シンボルの出力のタイミングの制御について説明するためのフローチャートである。
【図１０】記録媒体について説明するための図である。
【発明を実施するための形態】
【００２４】
以下に、本技術を実施するための形態（以下、実施の形態という）について説明する。
なお、説明は、以下の順序で行う。
１．ダイバーシティについて
２．受信装置の構成
３．スムージング部の構成
４．スムージング部の処理
５．記録媒体について
【００２５】
＜ダイバーシティについて＞
以下に説明する本技術は、ダイバーシティと称される技術に適用できるため、ダイバーシティを例にあげて説明を行う。ダイバーシティは、複数のアンテナで受信した同一の信号について、電波状況の優れたアンテナの信号を優先的に用いたり、受信した信号を合成してノイズを除去したりすることによって、通信の質や信頼性の向上を図る技術である。以下の説明では、複数のアンテナで受信した同一の信号を合成する場合を例に挙げて説明する。
【００２６】
また、本技術を適用した受信装置と一般的な受信装置との差異を明確にするために、先に一般的な受信装置とその動作について説明し、その後、本技術を適用した受信装置について説明する。
【００２７】
図１は、ダイバーシティの技術を適用した受信装置１０の構成を示す図である。受信装置１０は、アンテナ１１−１、アンテナ１１−２、復調部１２−１、復調部１２−２、合成部１３、および誤り訂正部１４から構成されている。ここでは、２つのアンテナ１１−１、アンテナ１１−２を備える受信装置１０を例にあげて説明を続けるが、本技術は、２以上の複数のアンテナを備える受信装置に対しても適用できる。
【００２８】
アンテナ１１−１、アンテナ１１−２を、個々に区別する必要が無い場合、単にアンテナ１１と記述する。また他の部分に関しても同様に記載する。
【００２９】
アンテナ１１−１により受信された信号は、復調部１２−１に供給され、アンテナ１１−２により受信された信号は、復調部１２−２に供給される。アンテナ１１により受信された信号を、以下、適宜、ブランチと記述する。
【００３０】
復調部１２−１と復調部１２−２は、それぞれ供給されたブランチを復調する。復調部１２は、例えば、OFDM(直交周波数分割多重変調)に基づく復調を行う。また復調部１２は、OFDMを用いる放送規格の復調を行う構成とされていても良い。
【００３１】
所定のタイミングにおける復調結果を受信シンボルと記述する。復調部１２−１からの受信シンボルと、復調部１２−２からの受信シンボルは、それぞれ合成部１３に供給される。
【００３２】
合成部１３は、供給された２つの受信シンボルを合成し、その合成結果を誤り訂正部１４に供給する。合成部１３からの出力を合成シンボルと記述する。誤り訂正部１４は、供給された合成シンボルに対して所定のアルゴリズムに基づき、誤り訂正を行い、図示していない後段の処理部に出力する。
【００３３】
図２を参照し、合成部１３における合成動作について説明する。ここでは、アンテナ１１−１により受信された信号を、ブランチ１とし、アンテナ１１−２により受信された信号をブランチ２と記述する。
【００３４】
図２の上段は、ブランチ１の受信シンボルの到達時刻を表し、中段は、ブランチ２の受信シンボルの到達時刻を表し、下段は、合成シンボルの出力時刻を示す。図中、横軸は、時刻を表し、上向きの矢印が位置している時刻は、シンボルが到達した時刻を表す。
【００３５】
ブランチ１の到達時刻から後の所定の時間が、ブランチ２の探索範囲とされる。図２上段において、横方向の太い矢印は、探索範囲を示す。例えば、時刻ｔ１が、ブランチ１の受信シンボル到達時刻である場合、時刻ｔ１より後の所定の時間が探索範囲とされる。ここでは、探索範囲の時間を時間Ｔ１とする。
【００３６】
この探索範囲の時間は、到達の遅延しているブランチの受信シンボルの到達を待つにあたっての一定の制限時間として設けられているため、適宜、探索制限時間と記述する。
【００３７】
この探索制限時間内に受信シンボルが取得されると、合成部１３における合成の対象とされる。例えば、時刻ｔ１において、ブランチ１の受信シンボルが取得され、時刻ｔ１からの探索制限時間内の時刻ｔ１’にブランチ２の受信シンボルが取得された場合、この２つの受信シンボルが合成され、合成シンボルが生成される。合成部１３に２つのブランチの受信シンボルが供給されることで、合成が開始され、合成シンボルの出力が開始される。
【００３８】
同様に、時刻ｔ２にブランチ１の受信シンボルが取得され、探索制限時間内の時刻ｔ２’にブランチ２の受信シンボルが取得されると、合成部１３により合成シンボルが出力される。同様に、時刻ｔ３にブランチ１の受信シンボルが取得され、探索制限時間内の時刻ｔ３’にブランチ２の受信シンボルが取得されると、合成部１３により合成シンボルが出力される。
【００３９】
例えば、受信位置が変化せず、受信感度が一定である場合、ブランチ１の受信シンボルが取得される間隔は、一定である。またブランチ２の受信シンボルが取得される間隔も、一定である。このような場合、合成シンボルの出力されるタイミングの間隔も一定となる。
【００４０】
このように、ブランチ１の到達時刻から、ブランチ２の受信シンボルが観測され、合成が行われる。図２に示したように、ブランチ１の受信シンボルと、ブランチ２の受信シンボルが正常に受信された場合、合成シンボルが生成され、出力されるが、２つのブランチのうちのどちらか一方の受信シンボルが取得できないことも考えられる。
【００４１】
ダイバーシティは、主に移動体で信号を受信する際に用いられる。例えば、受信装置が携帯され、移動しているような場合、信号の受信位置が刻々と変化するため、受信感度も変化しやすく、ブランチ１の受信シンボルまたはブランチ２の受信シンボルが取得できない場合があることが考えられる。
【００４２】
このことについて、図３を参照して説明する。図３は、図２と同じく、上段は、ブランチ１の受信シンボルの到達時刻と探索範囲を表し、中段は、ブランチ２の受信シンボルの到達時刻を表し、下段は、合成シンボルの出力タイミングを表す。
【００４３】
図３に示した例では、時刻ｔ１と時刻ｔ２でそれぞれブランチ１の受信シンボルが取得され、時刻ｔ１’と時刻ｔ２’でそれぞれブランチ２の受信シンボルが取得されるのは、図２に示した場合と同様である。
【００４４】
時刻ｔ３において、ブランチ１の受信シンボルが取得されるが、その後の探索制限時間内でブランチ２の受信シンボルが取得されない。探索制限時間内にブランチ２の受信シンボルが取得されず、探索制限時間Ｔ１が経過してしまった場合、取得されているブランチ１の受信シンボルが、時刻ｔ３’のときに、合成部１３による合成が行われずに、ブランチ１の受信シンボルが出力される。
【００４５】
このように、ブランチ２の受信シンボルが消失してしまったような場合、合成部１３における合成は行われずに、ブランチ１の受信シンボルが出力される。このような場合、ダイバーシティ利得を得ることができないことになる。
【００４６】
このように、複数のブランチを取得して、合成する構成とした場合であっても、複数のブランチの全てが取得できるとは限らず、取得できなかった場合には、ダイバーシティによる利得の効果を十分に得られなかったり、その後の処理が正常に行えなくなったりする可能性がある。
【００４７】
さらに、合成部１３からの合成シンボルの出力の間隔が変化してしまう可能性があることについて図４を参照して説明する。図４も、図２や図３と同じく、上段は、ブランチ１の受信シンボルの到達時刻と探索範囲を表し、中段は、ブランチ２の受信シンボルの到達時刻を表し、下段は、合成シンボルの出力タイミングを表す。
【００４８】
図４において、ブランチ１の受信シンボルは、一定の間隔で取得されているとする。この間隔を間隔ｔと記述する。ブランチ１の受信シンボルは、時刻ｔ１、時刻ｔ２、時刻ｔ３、時刻ｔ４、および時刻ｔ５に取得される。時刻ｔ１と時刻ｔ２、時刻ｔ２と時刻ｔ３、時刻ｔ３と時刻ｔ４、時刻ｔ４と時刻ｔ５のそれぞれの間隔は、間隔ｔである。
【００４９】
ブランチ２の受信シンボルが、時刻ｔ１に取得されると、合成部１３にブランチ１とブランチ２の受信シンボルが供給され、合成される。そして、時刻ｔ１から、合成部１３から合成シンボルが出力される。
【００５０】
同様に、ブランチ２の受信シンボルが、時刻ｔ２に取得されると、合成部１３にブランチ１とブランチ２の受信シンボルが供給され、合成される。そして、時刻ｔ２から、合成部１３から合成シンボルが出力される。
【００５１】
時刻ｔ１と時刻ｔ２の時点では、受信状態が良く、ブランチ１の受信シンボルとブランチ２の受信シンボルが略同時刻に受信され、合成され、出力されている状態である。このような場合、合成シンボルの出力の間隔は、間隔Ｔａとなる。そして、この間隔Ｔａは、間隔ｔとなる。
【００５２】
時刻ｔ３において、ブランチ１の受信シンボルが取得されたが、ブランチ２の受信シンボルは取得されなかった場合、時刻ｔ３を基準時刻として、時間Ｔ１だけ、ブランチ２の受信シンボルが取得されたか否かの監視が行われる。時間Ｔ１の間の時刻ｔ３’に、ブランチ２の受信シンボルが取得されると、時刻ｔ３’において、合成部１３により受信シンボルの合成が行われ、出力される。
【００５３】
この場合、合成シンボルは、時刻ｔ２で出力された後、時刻ｔ３’で出力されることになる。この間隔を、間隔Ｔｂとする。間隔Ｔｂは、間隔ｔに探索制限時間である時間Ｔ１を加算した値となる。すなわち、間隔Ｔｂ＝間隔ｔ＋間隔Ｔ１となる。
【００５４】
時刻ｔ４において、ブランチ１の受信シンボルが取得されたが、ブランチ２の受信シンボルは取得されなかった場合、時刻ｔ４を基準時刻として、時間Ｔ１だけ、ブランチ２の受信シンボルが取得されたか否かの監視が行われる。時間Ｔ１の間の時刻ｔ４’に、ブランチ２の受信シンボルが取得されると、時刻ｔ４’において、合成部１３により受信シンボルの合成が行われ、出力される。
【００５５】
この場合、合成シンボルは、時刻ｔ３’で出力された後、時刻ｔ４’で出力されることになる。この間隔を、間隔Ｔｃとする。図４を参照するに、時刻ｔ３’から時刻ｔ４は、間隔ｔから時間Ｔ１を減算した時間となり、時刻ｔ４から時刻ｔ４’は、時間Ｔ１である。時刻ｔ３’から時刻ｔ４’までの間隔Ｔｃは、時刻ｔ３’から時刻ｔ４までの時間と時刻ｔ４から時刻ｔ４’までの時間を加算した時間となる。
【００５６】
よって、（間隔ｔ−時間Ｔ１）と時間Ｔ１を加算した値が間隔Ｔｃの時間となるため、間隔Ｔｃは、間隔ｔとなる。すなわち、間隔Ｔｃ＝間隔ｔとなる。
【００５７】
このように、合成シンボルの出力のタイミングは、受信シンボルが取得されたタイミングに依存して変化する。ここで、合成シンボルの出力のタイミング、ここでは出力の間隔について、再度図４を参照して説明する。
【００５８】
図４に示した例では、合成シンボルの出力の間隔は、間隔Ｔａ、間隔Ｔｂ、間隔Ｔｃである。この間隔を、上記したように、間隔ｔと時間Ｔ１を使って表すと、以下のようになる。
間隔ｔ、間隔ｔ＋時間Ｔ１、間隔ｔ
【００５９】
このように、合成シンボルの出力のタイミングは、受信シンボルが取得されたタイミングに依存して変化し、一定ではない可能性がある。
【００６０】
ところで、“ETSI EN 302 755 v1.3.1”のC.1.1項や、“DVB-T2 Implementation Guidelines Blue Book A133”には、第２世代欧州地上波デジタル放送規格であるDVB-T2（Digital Video Broadcasting-Terrestrial 2）の規格についての記載がある。DVB-T2規格においては、RBM(Receiver Buffer Model)が定義されており、“DVB-T2規格準拠の受信装置は誤り訂正への情報伝送レートを一定にすること”が要求されている。
【００６１】
また“DVB-C2 Implementation Guidelines ETSI TS 102 991 v1.2.1”には、第２世代欧州ケーブルデジタル放送規格であるDVB-C2（Digital Video Broadcasting - Cable 2）の規格についての記載がある。DVB-C2規格も同様に、Implementation Guidelinesにおいて、 誤り訂正への情報伝送レートを一定であることが要求されている。
【００６２】
上記した受信装置１０が、DVB-T2の規格やDVB-C2の規格を満たすように構成する場合、合成部１３から誤り訂正部１４に合成シンボルが出力される間隔は、一定であることが好ましいことになる。DVB-T2の規格やDVB-C2の規格以外の規格を満たすように受信装置１０を構成した場合も、合成部１３から誤り訂正部１４に合成シンボルが出力される間隔は、一定であるのが好ましいと考えられる。
【００６３】
しかしながら、上記したように、複数のブランチがあり、それらの複数のブランチの内の１以上のブランチの受信シンボルが遅延したり、消失したりした場合、合成シンボルの出力間隔が変化してしまい、上記した規定を満たせなくなる状態が発生する可能性がある。
【００６４】
また、デジタル放送受信装置において、合成シンボルの送出タイミングが一定間隔でなくなり、誤り訂正部１４への情報伝送レートが変化する現象が発生すると、 
１．デジタルテレビジョン復調におけるTS(トランスポートストリーム)の送出タイミングのジッタが発生する可能性
２． 誤り訂正部１４の処理の高速化、あるいは誤り訂正部１４にバッファ搭載が必須となるなどの設計コスト・制約の困難化
といったことが発生する可能性がある。
【００６５】
そこで、以下に説明するような受信装置の構成とし、動作とすることで、合成シンボルの出力間隔が、略一定になり、上記した規定が満たされなくなるようなことを防ぐことについて説明する。
【００６６】
＜受信装置の構成＞
図５は、合成シンボルの出力間隔が、一定となるような構成を有する受信装置１００の構成例を示す図である。
【００６７】
図５に示した受信装置１００の構成は、図１に示した受信装置１０の構成に、スムージング部１０１を追加した構成となっている。図５に示した受信装置１００のうち、図１に示した受信装置１０と同一の機能を有する部分には、同一の符号を付し、適宜説明を省略する。
【００６８】
スムージング部１０１は、合成部１３から供給される合成シンボルを、誤り訂正部１４に供給する。スムージング部１０１は、誤り訂正部１４に合成シンボルを供給する際、その供給間隔が一定になるような制御を行う。
【００６９】
＜スムージング部の構成＞
図６は、スムージング部１０１の内部構成例を示す図である。スムージング部１０１は、バッファ部１２１、入力間隔推定部１２２、出力時刻生成部１２３から構成される。バッファ部１２１は、合成部１３からの合成シンボルを保持する。合成シンボルを一定間隔で出力するために、一旦保持し、出力間隔（伝送レート）が一定の範囲内に収まるような調整を行い、出力を行う。
【００７０】
入力間隔推定部１２２は、合成シンボルが入力される間隔を推定する。入力間隔推定部１２２には、合成部１３からシンボルスタートフラグが供給され、このシンボルスタートフラグにより、合成シンボルが、入力バッファ部１２１に供給されたタイミングを検出できるように構成されている。
【００７１】
シンボルスタートフラグは、合成部１３から合成シンボルが出力されるとき、立てられるフラグであり、それ以外のときには下げられているフラグであるとして説明を続けるが、合成シンボルが出力されるとき下げられ、それ以外のときには立てられているフラグであっても良い。また、フラグとの記載をしたが、フラグでなくても良く、単に、合成シンボルの出力を知らせるデータであればよい。
【００７２】
入力間隔推定部１２２は、入力される合成シンボルの間隔を、係数ａ（＜１）によってフィルタリングし、入力シンボルの間隔を求める。求められた入力シンボルの間隔（以下、推定入力間隔と適宜記載する）は、出力時刻生成部１２３に供給される。
【００７３】
出力時刻生成部１２３は、バッファ部１２１に保持されている合成シンボルを出力する時刻を生成する。出力時刻生成部１２３は、合成部１３からシンボルスタートフラグと、入力間隔推定部１２２からの推定入力間隔が供給される。
【００７４】
出力時刻生成部１２３は、スムージング部１０１から合成シンボルが出力された時刻に対して、入力間隔推定部１２２で推定された推定入力間隔を加算することで、次回のシンボルの推定出力時刻を求める。
推定出力時刻＝前回シンボル出力時刻＋推定入力間隔 
【００７５】
さらに、出力時刻生成部１２３は、上記式で求められる推定出力時刻と、実際のシンボル入力時刻に探索制限時間分の遅延を加えた時刻との差に対し、下記の例のように出力時刻を調節することで、データの出力時刻を生成する。
【００７６】
次回シンボル出力時刻＝推定出力時刻＋差分調整値
差分調整値 ＝ｍａｘ｛差分×Ｂ，min（Ｃ，差分）｝
差分＝(今回シンボル入力時刻＋合成部でもつ制限時間−推定出力時刻)
【００７７】
Ｂ、Ｃは、任意に選択することができる補正係数であり、Ｂ（＜０）、Ｃ（＞０）を満たす係数である。このような演算により出力時間を調整することで、合成シンボルの出力間隔を一定とするスムージング部１０１の詳細な処理については、図８、図９のフローチャートを参照し、後述する。
【００７８】
図７は、スムージング部１０１による合成シンボルの出力間隔の調整について説明するための図である。図７に示した１段目、２段目、および３段目は、図４に示した１段目、２段目、および３段目と同じであり、ブランチ１の受信シンボルの取得時刻、ブランチ２の受信シンボルの取得時刻、合成シンボルの合成部１３からの出力時刻を、それぞれ表す。また、これらの取得時刻や出力時刻は、図４と同じとしてある。
【００７９】
図４を参照して説明したように、ブランチ２の受信シンボルが遅延したり、消失したりした場合、合成シンボルの出力時刻が遅くなり、合成シンボルの出力間隔が急峻に変化する可能性があった。このような急峻な変化が起きないようにするために、図７の４段目に示すようにまず、推定入力時刻が設定される。
【００８０】
推定入力時刻は、合成部１３から合成シンボルがスムージング部１０１に入力される時刻として推定された時刻であり、入力間隔推定部１２２により推定される時刻である。また、推定入力時刻は、上記した推定入力間隔で決定される時刻であり、前の時点の推定入力時刻に推定入力間隔を加算した時刻が、今の推定入力時刻となる関係にある。
【００８１】
また受信状態が良好であり、一定の周期で受信シンボルが取得されている場合、換言すれば、一定の周期で合成シンボルが出力されている場合、推定入力間隔は、一定の周期となるため、推定入力時刻も、一定の周期となる。
【００８２】
時刻ｔ１と時刻ｔ２は、受信感度が良好であるため、ブランチ１とブランチ２の受信シンボルがそれぞれ受信され、合成シンボルが出力されている状態である。このような場合、推定入力時刻（推定入力間隔）は、一定の周期とされ、図７に示した例では、間隔ｔとなる周期とされている。
【００８３】
時刻ｔ１や時刻ｔ２のときの状態は、合成シンボルを時刻ｔ１や時刻ｔ２のときに出力することが可能であるが、スムージング部１０１の処理により、時刻ｔ１”や時刻ｔ２”に合成シンボルはスムージング部１０１から出力され、誤り訂正部１４に供給される。
【００８４】
時刻ｔ１”は、時刻ｔ１に所定の時間を加算した時刻である。この所定の時間としては、探索制限時間として設定されている時間Ｔ１とすることができる。すなわちこの場合、時刻ｔ１よりも時間Ｔ１だけ時間が経過した時刻ｔ１”に、スムージング部１０１から誤り訂正部１４に合成シンボルが出力される。
【００８５】
同様に時刻ｔ２”は、時刻ｔ２に所定の時間を加算した時刻である。この所定の時間としては、探索制限時間として設定されている時間Ｔ１とすることができる。すなわちこの場合、時刻ｔ２よりも時間Ｔ１だけ時間が経過した時刻ｔ２”に、スムージング部１０１から誤り訂正部１４に合成シンボルが出力される。
【００８６】
時刻ｔ１’と時刻ｔ２’との差分の時間を間隔Ｔａ”とする。この間隔Ｔａ”は、間隔ｔと同じ時間となる。
【００８７】
このように、周期的に合成シンボルが出力できているときには、探索制限時間分だけ、予め合成シンボルの出力時刻をずらし（遅延させ）、合成部１３からの合成シンボルの出力に遅延が発生したようなときに対応できるようにされている。
【００８８】
時刻ｔ３において、ブランチ２の受信シンボルが、遅延または消失してしまい、合成部13からの合成シンボルの出力時刻が遅延する。図７の５段落目に図示したように、推定入力時刻よりも実際の入力時刻とのずれが生じた場合、スムージング部１０１からの合成シンボルの出力時刻もずらされる。
【００８９】
図７に示した例では、合成シンボルは、時刻ｔ３”に出力されている。探索制限時間である時間Ｔ１分だけ、合成シンボルの出力時刻がずらされた場合、時刻ｔ３’である。この時刻ｔ３’よりも少し遅延した時刻が、時刻ｔ３”とされている。時刻ｔ３’と時刻ｔ３”の差分の時間を変化量ｄと記述し、変化量ｄは、入力時刻とのずれに係数を乗じた遅延量とされているとする。
【００９０】
上記したように、スムージング部１０１の処理により、合成シンボルは、推定入力時刻よりも時間Ｔ１だけ遅延した時刻に出力されるように制御されている。よって、仮に、時刻ｔ３’に合成シンボルが出力された場合、時刻ｔ２”と時刻ｔ３’との差分の時刻は、間隔ｔとなり、間隔Ｔａ”と同じ間隔となる。
【００９１】
このように、予め時間Ｔ１だけ遅延させて、合成シンボルが出力されるようにすることで、仮に、時刻ｔ３’に合成シンボルが出力されたとしても、合成シンボルの出力間隔を一定とすることができる。しかしながら、時刻ｔ３以降においても、遅延する可能性があり、遅延量が蓄積されると、予め遅延させておいた時間Ｔ１でもその蓄積量が吸収できない可能性もある。そこで、変化量ｄだけ、遅延された時刻ｔ３”に、合成シンボルが出力されるようにする。
【００９２】
時刻ｔ２”と時刻ｔ３”の時間を、間隔Ｔｂ”とする。この間隔Ｔｂ”は、
間隔Ｔｂ”＝間隔ｔ＋変化量ｄ
となる。
【００９３】
このように、変化量ｄが算出されたような場合、次の時点の推定入力時刻は、所定の時間だけずれた時刻となる。この所定の時間の算出などについては、図９のフローチャートを参照して後述する。時刻ｔ３のときの推定入力時刻は、時刻ｔ３であったため、その時刻ｔ３から間隔ｔだけ加算した時刻は、時刻ｔ４となる。この時刻ｔ４が、次の推定入力時刻に設定されるのではなく、所定の時間分だけずれた時刻ｔ４”’が、次の推定入力時刻とされる。
【００９４】
この時刻ｔ４”’と時刻ｔ４’との差分に対して、所定の係数が乗算された値が、変化量ｄとされる。先に記載した変化量ｄと区別を付けるために、変化量ｄ’と記載する。この場合、変化量ｄと変化量ｄ’の関係は、変化量ｄ＞変化量ｄ’となる。このような変化量ｄ’が、時刻ｔ４’に加算され、その加算された時刻４”が、スムージング後の合成シンボルの出力時刻とされる。
【００９５】
時刻ｔ３”と時刻ｔ４”の時間を、間隔Ｔｃ”とする。この間隔Ｔｃ”は、間隔Ｔｃ”＝間隔ｔ＋変化量ｄ’となる。変化量ｄと変化量ｄ’には、変化量ｄ＞変化量ｄ’との関係があるため、間隔Ｔｂ”と間隔Ｔｃ”との間にも、間隔Ｔｂ”＞間隔Ｔｃ”との関係が満たされる。
【００９６】
このように、遅延が発生したような場合、合成シンボルの出力間隔が大きく変化しないように、スムージングの処理がされるとともに、徐々に収束するように、その出力のタイミングが制御される。
【００９７】
＜スムージング部の処理＞
このようなスムージングの処理を行う場合のスムージング部１０１の処理について、図８と図９のフローチャートを参照して説明する。
【００９８】
図８は、入力間隔推定部１２２の処理について説明するためのフローチャートである。ステップＳ１０１において、ｎ＝０に設定される。ｎは、入力間隔推定部１２２に入力されたシンボルスタートフラグの個数、換言すれば、スムージング部１０１に入力された合成部13からの合成シンボルの個数であるとする。
【００９９】
ステップＳ１０２において、システムパラメータ情報より、理論間隔の初期値ｄ１が計算される。システムパラメータ情報とは、例えばＦＦＴサイズなどの情報であり、復調部１２（図５）の復調結果から得ることができる。理論間隔の初期値ｄ１とは、図７を参照した説明における間隔ｔに該当する間隔を推定した値である。またこの初期値ｄ１は、スムージング部１０１の合成シンボルの出力開始時の伝送レートとして設定される値である。
【０１００】
ステップＳ１０３において、シンボルスタートフラグがＨ（High）であるか否かが判断される。シンボルスタートフラグが立っていると判断されるまで、ステップＳ１０３における処理が繰り返され、待機状態が維持され、シンボルスタートフラグが立っていると判断されると、ステップＳ１０４に処理が進められる。
【０１０１】
ステップＳ１０４において、ｎ＝ｎ＋１に更新される。そして、ステップＳ１０５において、入力時刻Ｔｎが測定される。例えば、ｎ＝１のときのシンボルスタートフラグが入力された時刻を０とし、その時点から計時を開始し、ｎ＝ｎ＋１の時点の入力時刻Ｔｎが測定されるように構成しても良い。
【０１０２】
ステップＳ１０６において、ｎは２以上であるか否かが判断される。ステップＳ１０７において、入力時刻Ｔｎの差分が算出されるため、入力時刻の情報が、２以上ある必要がある。よって、ステップＳ１０６において、ｎは２以上であるか否かが判断される。ステップＳ１０６において、ｎは２以上ではないと判断された場合、ステップＳ１０３に処理が戻され、それ以降の処理が繰り返される。
【０１０３】
一方、ステップＳ１０６において、ｎが２以上であると判断された場合、ステップＳ１０７に処理が進められる。ステップＳ１０７において、推定入力間隔が算出される。この推定入力間隔は、図７を参照した説明における推定入力時刻の間隔を表し、ここでは、推定入力間隔Ｉnと記載する。推定入力間隔Ｉｎは、次式（１）により算出される。
【０１０４】
Ｉn＝ａ×（Ｔｎ―Ｔn-1）＋（１−ａ）×Ｉn-1    ・・・（１）
式（１）において、ａは、係数であり、１以下の値を有する。Ｔnは、処理されているときの入力時刻であり、Ｔn-1は、処理されているときよりも1つ前の時点での入力時刻である。また、Ｉn-1は、処理されているよりも前の時点での推定入力間隔である。
【０１０５】
このような式（1）により、推定入力間隔が算出される。この推定入力間隔は、図７を参照した説明において、４段目に記載した推定入力時刻の間隔に該当する。ここで、図７を再度参照し、式（１）について説明する。
【０１０６】
例えば、図７において、時刻t１と時刻t２のときを、式（1）に代入し、係数ａを０．３とする。
Ｉn＝0.3×（時刻t２−時刻t１）＋（1-0.3）×間隔t
（時刻t２−時刻t１）は、図７においては間隔tとなるため、この式は、
Ｉn＝0.3×間隔t＋0.7×間隔t
となる。よって、Ｉnは、間隔tとなる。この場合、間隔ｔは、間隔ｔのままで変化しないことになる。よって、時刻ｔ２から間隔ｔだけ経過した時刻t３が、次の時点の推定入力時刻に設定される。
【０１０７】
同様に、図７において、時刻ｔ２と時刻t３’のときを考える。
Ｉn＝0.3×（時刻t３’−時刻t２）＋（1-0.3）×間隔t
（時刻t３’−時刻t２）は、図７において、（間隔ｔ＋時間Ｔ１）となるため、この式は、
Ｉn＝0.3×（間隔ｔ＋時間Ｔ１）＋0.7×間隔t
となる。よって、Ｉn＝間隔t＋0.3×時間Ｔ１となる。すなわち、推定入力間隔は、間隔tよりも長い間隔に変更される。
【０１０８】
このように、スムージング部１０１入力される合成シンボルの入力間隔が、異なる間隔になった場合、推定入力間隔も変更される。このような処理が、入力間隔推定部１２２により繰り返し行われる。また、このような処理が入力間隔推定部１２２により実行されることで、入力間隔推定部１２２から、出力時刻生成部１２３には、推定入力間隔Ｉnと入力時刻Ｔnの情報が供給される。
【０１０９】
次に、図９のフローチャートを参照し、出力時刻生成部１２３の処理について説明する。
【０１１０】
ステップＳ１２１において、ｎ＝０に設定される。ｎは、出力時刻生成部１２３に入力されたシンボルスタートフラグの個数、換言すれば、スムージング部１０１に入力された合成シンボルの個数であるとする。
【０１１１】
ステップＳ１２２において、シンボルスタートフラグがＨ（High）であるか否かが判断される。シンボルスタートフラグが立っていると判断されるまで、ステップＳ１２２における処理が繰り返され、待機状態が維持され、シンボルスタートフラグが立っていると判断されると、ステップＳ１２３に処理が進められる。
【０１１２】
ステップＳ１２３において、ｎ＝ｎ＋１に更新される。そして、ステップＳ１２４において、ｎは２以上であるか否かが判断される。ステップＳ１２４において、ｎは２以上ではないと判断された場合、ステップＳ１２２に処理が戻され、それ以降の処理が繰り返される。
【０１１３】
一方、ステップＳ１２４において、ｎが２以上であると判断された場合、ステップＳ１２５に処理が進められる。ステップＳ１２５において、dnが０以上であるか否かが判断される。dnは、差分を表す。差分ｄnは、次式（２）により算出される。
差分＝(今回シンボル入力時刻＋合成部でもつ制限時間−推定出力時刻)    ・・・（２）
【０１１４】
今回シンボル入力時刻をＴn、合成部でもつ制限時間をＸ、推定出力時刻をＲ’nと表すと、式（２）は、次式のように記載できる。
dn＝Ｔn＋Ｘ―Ｒ’n    ・・・（２）
【０１１５】
式（２）において、合成部でもつ制限時間Ｘとは、上記した説明における探索制限時間Ｔ１に該当する。式（２）において、推定出力時刻Ｒ’nは、次式（３）により算出される。
推定出力時刻＝前回シンボル出力時刻＋推定入力間隔    ・・・（３）
【０１１６】
式（３）において、推定入力間隔は、入力間隔推定部１２２から供給される値であり、上記した式（１）により算出される推定入力間隔Ｉnに該当する。式（３）を記号で表すと、次式のようになる。
Ｒ’n＝Ｒn-1＋Ｉn    ・・・（３）
【０１１７】
式（３）においてＲn-1は、１つ前の時点での出力時刻である。Ｉnは、入力間隔推定部１２２により算出された推定入力間隔である。
【０１１８】
ステップＳ１２５において、差分ｄnが、０以上であると判断された場合、ステップＳ１２６に処理は進められる。ステップＳ１２６において、次式（４）により、出力時刻が算出される。
Ｒn＝Ｒ’n＋max［Ｂ×dn,min｛ｄn,Ｃ｝］    ・・・（４）
【０１１９】
式（４）において、Ｒnは、算出する出力時刻であり、Ｒ’nは、次式（５）により算出される値であり、max［Ｂ×dn,min｛ｄn,Ｃ｝］は、差分調整値である。また、ＢやＣは、補正係数であり、Ｂは、Ｂ＜０を満たし、Ｃは、Ｃ＞０を満たす値である。ＢやＣは、任意に選ぶことができる。またＢを、適宜、スムージング係数Ｂと記述し、Ｃを、クリップ係数Ｃと記述する。
【０１２０】
式（４）の差分調整値であるmax［Ｂ×dn,min｛ｄn,Ｃ｝］から、まず、差分ｄnとクリップ係数Ｃのどちらか小さい方の値が算出される。その算出された値と、スムージング係数Ｂと差分ｄnを乗算した値のうち、大きい方の値が算出され、その値が、差分調整値とされる。
【０１２１】
この差分調整値に、推定出力時刻Ｒ’nが加算されることで、出力時刻Ｒnが算出される。このように、ステップＳ１２６においては、式（４）に値に代入することで、出力時刻Ｒnが算出される。
【０１２２】
一方、ステップＳ１２５において、差分ｄnは、０以上ではないと判断された場合、換言すれば、マイナスの値であると判断された場合、ステップＳ１２７に処理が進められる。ステップＳ１２７において、次式（６）に基づき、出力時刻が算出される。
【０１２３】
Ｒn＝Ｒ’n−max［−Ｂ×dn,min｛−ｄn,Ｃ｝］    ・・・（５）
式（５）のＲn、Ｒ’n、Ｂ、dn、Ｃ、は、それぞれ式（４）と同じである。
【０１２４】
式（５）の差分調整値であるmax［−Ｂ×dn,min｛−ｄn,Ｃ｝］から、まず、マイナスの差分ｄnとクリップ係数Ｃのどちらか小さい方の値が算出される。その算出された値と、マイナスのスムージング係数Ｂと差分ｄnを乗算した値のうち、大きい方の値が算出され、その値が、差分調整値とされる。
【０１２５】
この差分調整値が、推定出力時刻Ｒ’nから減算されることで、出力時刻Ｒnが算出される。このように、ステップＳ１２７においては、式（５）に値に代入することで、出力時刻Ｒnが算出される。
【０１２６】
このように、差分ｄnがプラスの値であるのか、マイナスの値であるのかにより、出力時刻の算出に用いられる式が異なる。差分ｄnは、推定された合成シンボルの入力時刻と、実際の合成シンボルの入力時刻との差分であり、この値がプラスである場合には、合成シンボルの入力が遅延したことを表し、マイナスである場合には合成シンボルの入力が推定された時刻よりも早く入力されたことを表す。
【０１２７】
合成シンボルの入力が遅延した場合、合成シンボルの誤り訂正部１４への出力間隔が、急激に長くなってしまうようなことが無いように、合成シンボルの出力タイミングが制御される。また、合成シンボルの入力が早まったような場合、合成シンボルの誤り訂正部１４への出力間隔が、急激に短くなってしまうようなことが無いように、合成シンボルの出力タイミングが制御される。
【０１２８】
このように誤り訂正部１４に供給される合成シンボルの伝送レートが、急激に変化しないように制御し、一定の伝送レートの範囲内に収めることが可能となることで、例えば、DVB-T2やDVB-C2の規格に対応した受信装置において、RBMを満たすことが可能となる。
【０１２９】
また、デジタルテレビジョン復調におけるトランスポートストリーム（ＴＳ）の送出タイミングのジッタを抑制することが可能となる。また、誤り訂正部１４の処理の高速化が可能となる。また、誤り訂正部１４に合成シンボルを保持するためのバッファを搭載する必要がなくなり、実装制約を緩和することができる。
【０１３０】
なお、上述した実施の形態においては、２つのブランチがある受信装置１００を例にあげて説明したが、２以上のブランチがある受信装置１００に対しても、本技術を適用することはできる。
【０１３１】
＜記録媒体について＞
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１３２】
図１０は、上述した一連の処理をプログラムにより実行するコンピュータのハードウエアの構成例を示すブロック図である。コンピュータにおいて、ＣＰＵ（Central Processing Unit）２０１、ＲＯＭ（Read Only Memory）２０２、ＲＡＭ（Random Access Memory）２０３は、バス２０４により相互に接続されている。バス２０４には、さらに、入出力インタフェース２０５が接続されている。入出力インタフェース２０５には、入力部２０６、出力部２０７、記憶部２０８、通信部２０９、及びドライブ２１０が接続されている。
【０１３３】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１３４】
以上のように構成されるコンピュータでは、ＣＰＵ２０１が、例えば、記憶部２０８に記憶されているプログラムを、入出力インタフェース２０５及びバス２０４を介して、ＲＡＭ２０３にロードして実行することにより、上述した一連の処理が行われる。
【０１３５】
コンピュータ（ＣＰＵ２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０１３６】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ＲＯＭ２０２や記憶部２０８に、あらかじめインストールしておくことができる。
【０１３７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３８】
また、本明細書において、システムとは、複数の装置により構成される装置全体を表すものである。
【０１３９】
なお、本明細書に記載された効果はあくまで例示であって限定されるものでは無く、また他の効果があってもよい。
【０１４０】
なお、本技術の実施の形態は、上述した実施の形態に限定されるものではなく、本技術の要旨を逸脱しない範囲において種々の変更が可能である。
【０１４１】
なお、本技術は以下のような構成も取ることができる。
【０１４２】
（１）
供給されるブランチを復調し、シンボルを生成する複数の復調部と、
前記複数の復調部で復調された前記シンボルを合成し、合成シンボルを生成する合成部と、
前記合成シンボルの誤り訂正を行う誤り訂正部と、
前記合成部から前記誤り訂正部への前記合成シンボルの伝送レートが、一定の範囲内になるように制御するスムージング部と
を備える受信装置。
（２）
前記スムージング部は、
前記合成部からの合成シンボルを保持するバッファ部と、
前記合成部から前記合成シンボルが入力される時刻を推定する入力時刻推定部と、
前記誤り訂正部に前記バッファ部に保持されている前記合成シンボルを出力する時刻を生成する出力時刻生成部と
を備える前記（１）に記載の受信装置。
（３）
前記入力時刻推定部は、前記合成部から前記合成シンボルが入力される間隔を、所定の係数を用いてフィルタリングすることで、前記合成シンボルが入力される間隔を算出し、前記合成シンボルが入力される時刻を推定する
前記（２）に記載の受信装置。
（４）
前記入力時刻推定部は、前記復調部から供給されるパラメータにより、前記誤り訂正部への前記合成シンボルの出力開始時の伝送レートを設定する
前記（２）または前記（３）に記載の受信装置。
（５）
前記出力時刻生成部は、前記入力時刻推定部で推定された推定入力間隔、前記合成シンボルが入力された入力時刻、および設定されている所定の時間を用いて、前記合成シンボルを出力する時刻を生成する
前記（２）乃至（４）のいずれかに記載の受信装置。
（６）
前記設定されている所定の時間は、前記ブランチの受信シンボルの探索範囲として設定されている制限時間である
前記（５）に記載の受信装置。
（７）
前記出力時刻生成部は、前記合成部から前記合成シンボルが入力された時点から、前記制限時間分だけ遅延した時刻に、前記合成シンボルを出力する
前記（６）に記載の受信装置。
（８）
前記復調部と前記誤り訂正部は、第２世代欧州地上波デジタル放送規格（DVB-T2）の信号を復調および誤り訂正する
前記（１）乃至（７）のいずれかに記載の受信装置。
（９）
前記復調部と前記誤り訂正部は、第２世代欧州ケーブルデジタル放送規格（DVB-C2）の信号を復調および誤り訂正する
前記（１）乃至（７）のいずれかに記載の受信装置。
（１０）
供給されるブランチを復調し、シンボルを生成する複数の復調部と、
前記複数の復調部で復調された前記シンボルを合成し、合成シンボルを生成する合成部と、
前記合成シンボルの誤り訂正を行う誤り訂正部と
を備える受信装置の受信方法において、
前記合成部から前記誤り訂正部への前記合成シンボルの伝送レートが、一定の範囲内になるように制御する
ステップを含む受信方法。
（１１）
供給されるブランチを復調し、シンボルを生成する複数の復調部と、
前記複数の復調部で復調された前記シンボルを合成し、合成シンボルを生成する合成部と、
前記合成シンボルの誤り訂正を行う誤り訂正部と
を備える受信装置を制御するコンピュータに、
前記合成部から前記誤り訂正部への前記合成シンボルの伝送レートが、一定の範囲内になるように制御する
ステップを含む処理を実行させるコンピュータが読み取り可能なプログラム。
【符号の説明】
【０１４３】
１０  受信装置，  １１  アンテナ，  １２  復調部，  １３  合成部，  １４  誤り訂正部，  １０１ スムージング部，  １２１  バッファ部，  １２２  入力間隔推定部，  １２３  出力時刻生成部
【図１】
2015060145.tif 000003
【図２】
2015060145.tif 000004
【図３】
2015060145.tif 000005
【図４】
2015060145.tif 000006
【図５】
2015060145.tif 000007
【図６】
2015060145.tif 000008
【図７】
2015060145.tif 000009
【図８】
2015060145.tif 000010
【図９】
2015060145.tif 000011
【図１０】
2015060145.tif 000012
【国際調査報告】
2015060145.tif 000013
2015060145.tif 000014
2015060145.tif 000015
2015060145.tif 000016